(57)【要約】【課題】  強度が高い上に、重量が小さく、組立・運搬・保管を容易にする。コーナーセルのみを組み合わせたプールを製造する場合には一種類の金型、コーナーセルと中間セルとを組み合わせたプールを製造する場合には二種類の金型で足りるようにする。容易に粉砕してリサイクル化できるようにする。プール内外での強い衝撃が加わっても弾力性による回避を可能にする。【解決手段】  複数のプラスチック製セグメント１ａ、１ｂをボルト２・ナット３により接続する組立プール１において、各セグメント１ａ、１ｂを周壁１０と底部１１を有する同一形状の１対のセル１０ａ、１０ａ（１０ｂ、１０ｂ）を接続して形成する。各セルをポリエチレン樹脂による中空部１２を有する二重構造にする。中空部１２の周壁１０を部分的に一体化してなる補強手段１３を形成する。中空部１２の底部１１の床板１１ａと接地板１１ｂを部分的に連結する補強手段１４を形成する。【選択図】    図５
2010255360.tif 000002
【特許請求の範囲】
【請求項１】
複数のプラスチック製セグメントをボルトおよびナットにより接続する組立プールにおいて、各セグメントを周壁と底部を有する同一形状の１対のセルを接続して形成し、しかも各セルをポリエチレン樹脂をブロー成形して中空部を有する二重構造にし、また前記中空部の周壁を部分的に一体化してなる第１補強手段を形成し、前記中空部を有する底部の床板と接地板を部分的に連結する第２補強手段を形成することを特徴とする組立プール。
【請求項２】
セルが４個のコーナーセルであることを特徴とする請求項１の組立プール。
【請求項３】
コーナーセルが一体の内ステップと外ステップを有することを特徴とする請求項２の組立プール。
【請求項４】
セグメントが４個のコーナーセルと、１対の中間セルからなる単数または複数のセグメントから成り、しかも各コーナーセルと各中間セルの縦・横・高さの寸法が同一であることを特徴とする請求項１の組立プール。
【請求項５】
各セルの対向端の上面に係合用段部、対向外面に凹部を形成し、前記凹部および対向内面にボルト挿通孔を穿設し、外向鍔付きブッシュのブッシュ部を前記対向内面および前記対向外面により形成される中空部に入れるとともに鍔部を前記凹部に係止し、鍔なし端部を前記対向内面に当接し、ボルトを前記ボルト挿通孔および前記外向鍔付きブッシュ内を貫通し、ナットで締着することを特徴とする請求項１の組立プール。
【請求項６】
ボルトおよびナット締め作業用の凹陥部を各ボルト・ナットごとに形成し、前記凹陥部に防水キャップを嵌脱自在に設けることを特徴とする請求項５の組立プール。
【請求項７】
各コーナーセルに水抜き孔を穿ち、前記水抜き孔に第１閉栓を着脱自在に設けるとともにホース着脱手段を設けることを特徴とする請求項２、３または４の組立プール。
【請求項８】
各コーナーセルに有底凹孔を形成し、所望により穿設するとともに前記穿設孔に第２閉栓を着脱自在に設けることを特徴とする請求項２、３、４または７の組立プール。
【発明の詳細な説明】
【技術分野】
【０００１】
本発明は幼稚園、保育園等の子供用施設で用いられるプラスチック製の組立プールに関する。
【背景技術】
【０００２】
従来から前記施設では、例えば縦２１０ｃｍ、高さ５８ｃｍ、横２１０ｃｍ〜４２０ｃｍ以上の比較的大きいプラスチック製の組立プールが使用されている。
【０００３】
前記大きさなので、各セグメントを強度の高いＦＲＰで形成している。
【先行技術文献】
【特許文献】
【０００４】
【特許文献１】実公昭６３−２８７９０号実用新案公報
【非特許文献】
【０００５】
【非特許文献１】なし。
【発明の概要】
【発明が解決しようとする課題】
【０００６】
従来例は複数のセグメントを接続するものであり、既述のとおりセグメントの縦寸法が長く、しかもＦＲＰ製であるので、重量が大きく、このため組立、運搬、保管が容易ではなく、リサイクルも不可能といっても過言ではなく、またＦＲＰはそれ自体が単層であり、芯材とする繊維の関係上、肉厚にならざるを得ず、硬度が高く、遊泳者が周壁に大きい衝撃を加えた場合、逆に遊泳者が負傷するおそれがないとは限らない。さらにＦＲＰ特有の積層・貼り付け等、製造に多くの労力と時間を必要とする。
【０００７】
また従来例はプールへの出入に必要なステップを前記特許文献のように別部品として製造し、後付けする必要がある。
【０００８】
本発明は強度を高くした上で、前記欠点を解消することを課題にする。
【課題を解決するための手段】
【０００９】
本発明の第１の手段は、複数のプラスチック製セグメントをボルトおよびナットにより接続する組立プールにおいて、各セグメントを周壁と底部を有する同一形状の１対のセルを接続して形成し、しかも各セルをポリエチレン樹脂をブロー成形して中空部を有する二重構造にし、また前記中空部の周壁を部分的に一体化してなる第１補強手段を形成し、前記中空部を有する底部の床板と接地板を部分的に連結する複数の第２補強手段を形成することを特徴とするものである。
【００１０】
本発明の第２の手段は、第１の手段において、セルが４個のコーナーセルであることを特徴とするものである。
【００１１】
本発明の第３の手段は、第２の手段において、コーナーセルが一体の内ステップと外ステップを有することを特徴とするものである。
【００１２】
本発明の第４の手段は、第１の手段において、セグメントが４個のコーナーセルと、１対の中間セルからなる単数または複数のセグメントから成り、しかも各コーナーセルと各中間セルの縦・横・高さの寸法が同一であることを特徴とするものである。
【００１３】
本発明の第５の手段は、第１の手段において、各セルの対向端の上面に係合用段部、対向外面に凹部を形成し、前記凹部および対向内面にボルト挿通孔を穿設し、外向鍔付きブッシュのブッシュ部を前記対向内面および前記対向外面により形成される中空部に入れるとともに鍔部を前記凹部に係止し、鍔なし端部を前記対向内面に当接し、ボルトを前記ボルト挿通孔および前記外向鍔付きブッシュ内を貫通し、ナットで締着することを特徴とするものである。
【００１４】
本発明の第６の手段は、第５の手段において、ボルトおよびナット締め作業用の凹陥部を各ボルト・ナットごとに形成し、前記凹陥部に防水キャップを嵌脱自在に設けることを特徴とするものである。
【００１５】
本発明の第７の手段は、第２、３または４の手段において、各コーナーセルに水抜き孔を穿ち、前記水抜き孔に第１閉栓を着脱自在に設けるとともにホース着脱手段を設けることを特徴とするものである。
【００１６】
本発明の第８の手段は、第２、３、４または７の手段において、各コーナーセルに有底凹孔を形成し、所望により穿設するとともに前記穿設孔に第２閉栓を着脱自在に設けることを特徴とするものである。
【発明の効果】
【００１７】
本発明はポリエチレン樹脂による中空部を有する二重構造であるとともに第１および第２の補強手段を有しており、耐水性が良好で、かつ強度が高い上に、重量が小さく、組立・運搬・保管が容易であり、また１個のセグメントを同一形状の１対のセルで形成するので、分解状態ではさらにコンパクトになり、より運搬および保管がしやすく、しかもコーナーセルのみを組み合わせたプールを製造する場合には一種類の金型、コーナーセルと中間セルとを組み合わせたプールを製造する場合には二種類の金型で足り、かつＦＲＰ製に比べて極めて容易かつ迅速に製造することができ、しかも容易に粉砕してリサイクル化することもでき、また強度が高いにもかかわらず、ＦＲＰに比べ硬度が低く、遊泳者によるプール内外での衝突等、強い衝撃が加わっても弾力性による回避が可能であり、負傷するおそれがない。
【００１８】
また本発明はコーナーセルに内ステップと外ステップを一体的に形成するので、これらのステップの別体形成・後付け作業をしなくてもよい。
【００１９】
さらに本発明は中空部を有する二重構造でありながら、ボルト・ナット締結部において、各対向端の中空部にブッシュを入れるとともに前記ブッシュの外向鍔部を凹部に係止し、鍔なし端部を対向内面に当接するので、ボルト・ナットをいくら強く緊締しても中空部を有する各対向端が変形することがなく、各セルを確実に接続することができる。
【００２０】
また各コーナーセルに水抜き孔、第１閉栓およびホース着脱手段を設けるので、所望の位置に排水ホースを取付けることができ、さらに各コーナーセルに有底凹孔を形成するので、所望の位置の有底凹孔を容易に穿設して閉栓し、プール使用後に開栓すれば泥抜きをすることができ、不要個所には穿孔作業をしなくて足りるものである。
【図面の簡単な説明】
【００２１】
【図１】本発明例の全体斜視図である。
【図２】同上の平面図である。
【図３】中間セルの斜視図である。
【図４】コーナーセルの斜視図である。
【図５】セルの縦断面図である。
【図６】接続部分の拡大断面図である。
【図７】排水部の縦断面図である。
【図８】泥抜き部の縦断面図である。
【図９】コーナーセグメントの側面図である。
【図１０】収納状態の斜視図である。
【発明を実施するための形態】
【００２２】
本実施の形態は図１・２で示すように４個のコーナーセル１０ａ、１０ａ、１０ａ、１０ａと４個の中間セル１０ｂ、１０ｂ、１０ｂ、１０ｂを接続して成る。各コーナーセル１０ａは同一形状であり、１対のコーナーセル１０ａ、１０ａを接続してコーナー用のセグメント１ａを形成する。同様に各中間セル１０ｂは同一形状であり、１対の中間セル１０ｂ、１０ｂを接続して中間用のセグメント１ｂを形成する。
【００２３】
本実施例では２個の中間用セグメント１ｂ、１ｂに左右１対のコーナーセグメント１ａ、１ａを接続してなり、プール１全体の縦ｄ×横ｗ×高さｈ（図９で拡大図示）は２１０ｃｍ×４２０ｃｍ×５８ｃｍである。プールの大きさはセグメント１ｂの増減により、変えられることは勿論であり、また最小のプールは中間用のセグメント１ｂを使用しないで、左右１対のコーナーセグメント１ａ、１ａのみを接続してなる。
【００２４】
図３で示すように中間セル１０ｂは周壁１０と底部１１とを一体化したＬ字板状であり、図４で示すようにコーナーセル１０ａは底部１１の外向端から立ち上がり、しかもほぼ直角に交わる周壁１０、１０とその交点に内ステップ１０ｃと外ステップ１０ｄ（図１参照）とを一体形成してなる。なお内ステップ１０ｃと外ステップ１０ｄの表面に滑り止め用の凹凸をつけたり、梨地に形成してもよい。
【００２５】
コーナーセル１０ａ、中間セル１０ｂすなわちセルはいずれもポリエチレン樹脂をブロー成形して二重構造に形成するもので、図５で示すように中空部１２を有する。なおブロー成形における加熱樹脂が溶融している際に周壁１０の下段を部分的に圧着（図５）し、一体化して複数個（図１０参照）の第１補強手段１３、１３・・・を形成し、また図５示のように底部１１の接地板１１ｂを部分的に上げ底状にし、前記上げ底部１１ｃを含む接地板１１ｂに多数個の截頭円錐筒状の第２補強手段１４、１４、１４・・・・を立設し、各頂部１４ａを床板１１ａの下面に一体化して床板１１ａを上げ底部１１ｃを含む接地板１１ｂとを部分的に連結する。
【００２６】
ちなみに各コーナーセル１０ａおよび中間セル１０ｂは、本実施例の場合それぞれ縦×横×高さは１０５ｃｍ×１０５ｃｍ×５８ｃｍである。
【００２７】
各セル１０ａ、１０ｂは図３、図４で示すように各周縁を塞いだものであり、前記周縁近傍の床板１１ａに複数個の凹陥部１９、１９、１９・・・・を形成し、図６で示すようにこの凹陥部１９はボルト２およびナット３締め作業用のものであり、凹陥部１９の底面に達する脚部５ａを有するゴム製のキャップ５を嵌脱自在に設ける。
【００２８】
図３・４・６で示すようにセル１０ａ、１０ａ、１０ｂ、１０ｂ・・・・の各隣接するセルの各対向端１５の上面に係合用段部１６を形成し、各対向外面１５ａに凹部１７を形成し、各凹部１７および対向内面１５ｂにボルト挿通孔１８、１８を穿設し、硬質プラスチック若しくは金属製の外向鍔付きブッシュ４を対向内面１５ｂおよび対向外面１５ａにより形成される中空部１２に入れるとともに鍔部４ａを凹部１７に係止し、鍔なし端部４ｂを対向内面１５ｂに当接し、一方の凹陥部１９から入れたボルト２をワッシャ２０、２０、防水パッキン２１、２１を介してボルト挿通孔１８、外向鍔付きブッシュ４、４を貫通し、他方の凹陥部１９から入れたナット３で緩締する。
【００２９】
このとき対向する鍔部４ａ、４ａが当接するとともに各鍔なし端部４ｂが対向内面１５ｂに当接するので、各外向鍔付きブッシュ４、４は突っ張り状態になる。また対向する係合用段部１６、１６により嵌合溝１６ａが形成される。なお各係合用段部１６は周壁１０の幅広のトップベンチ１０ｈ（図３・４参照）から周壁１０対向面、底板１１ａに連続して形成し、嵌合溝１６ａにスポンジゴム製の防水条９を嵌入する。しかる後、ボルト２、ナット３を緊締し、凹陥部１９にキャップ５を嵌入する。
【００３０】
図７で示すように各コーナーセル１０ａの下方に水抜き孔１０ｅを穿ち、水抜き孔１０ｅにホース着脱手段７として外向鍔付き螺子管７ａを嵌入してセル１０ａの内面に外鍔７ｂを係止するとともにナット７ｃで螺子管７ａを螺着する。４個のコーナーセル１０ａ、１０ａ、１０ａ、１０ａのうち所望のコーナーセル１０ａの螺子管７ａにホース１０ｌを外嵌し、各コーナーセル１０ａの水抜き孔１０ｅに常時は図４で示すように第１閉栓６を嵌着する。
【００３１】
図２・４で示すように各コーナーセル１０ａに有底凹孔１０ｆを浅く形成し、図８で示すように所望のコーナーセル１０ａの有底凹孔１０ｆを穿設し、この穿設孔１０ｇを泥抜き孔とし、常時は第２閉栓８を嵌着する。なお泥抜き孔をすべてコーナーセル１０ａに穿設する必要はなく、必要とする個所のみ有底凹孔１０ｆを穿てばよく、プールの置き位置等の事情で決めればよい。
【００３２】
なお図１・８・９で示す符号１０ｉは各セル１０ａ、１０ｂの周壁１０外側面に一体形成した細長板であり、外側ではこの対向する細長板１０ｉ、１０ｉを当接するとともにボルト・ナット締めし、また図３・４で示すように各周壁１０の内向面を段状に形成する。符号１０ｊは各幅広のトップベンチ１０ｈに形成した手握レールであり、これらは公知である。
【００３３】
上記所望のコーナーセル１０ａ、１０ａ・・、中間セル１０ｂ、１０ｂ・・・・若しくはコーナーセル１０ａ、１０ａ、１０ａ、１０ａを当接し、前記ボルト２・ナット３で締結し、前記防水条９、防水キャップ５、ホース１０ｌ、第１・２閉栓６、８を取り付けて貯水し、遊泳等の水遊びをし、また不使用時には排水、排泥をするとともに図１０で示すようにコンパクトにまとめて保管する。一般エレベーター機に搭載可能で運搬・保管に極めて実用的である。
【符号の説明】
【００３４】
１  組立プール
１ａ  セグメント
１ｂ  セグメント
２  ボルト
３  ナット
４  外向鍔付きブッシュ
４ａ  鍔部
４ｂ  鍔なし端部
５  防水キャップ
６  第１閉栓
７  ホース着脱手段
８  第２閉栓
１０  周壁
１０ａ  コーナーセル
１０ｂ  中間セル
１０ｃ  内ステップ
１０ｄ  外ステップ
１０ｅ  水抜き孔
１０ｆ  有底凹孔
１０ｇ  穿設孔
１１  底部
１１ａ  床板
１１ｂ  接地板
１２  中空部
１３  第１補強手段
１４  第２補強手段
１５  対向端
１５ａ  対向外面
１５ｂ  対向内面
１６  係合用段部
１７  凹部
１８  ボルト挿通孔
１９  凹陥部
ｄ  縦
ｗ  横
ｈ  高さ
【図１】
2010255360.tif 000003
【図２】
2010255360.tif 000004
【図３】
2010255360.tif 000005
【図４】
2010255360.tif 000006
【図５】
2010255360.tif 000007
【図６】
2010255360.tif 000008
【図７】
2010255360.tif 000009
【図８】
2010255360.tif 000010
【図９】
2010255360.tif 000011
【図１０】
2010255360.tif 000012